【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
アクセスポイント名（ＡＰＮ）によって特定されるデジタルネットワーク内の位置へ移動通信データを伝送可能にするＡＰＮ定義制御エンジンであって、
前記ＡＰＮを介して移動通信データを配信するために基幹ネットワーク要素により使用される複数のパラメータを、複数の前記基幹ネットワーク要素に、承認された運用者により関連付ける手段と、
前記承認された運用者の指示でコンピュータにより、前記パラメータを有する前記基幹ネットワーク要素を配備する手段と、
前記承認された運用者に対応するユーザ識別子をロギングする手段と、
前記複数の基幹ネットワーク要素から基幹ネットワーク要素の少なくとも１つの識別子をロギングする手段と
を備えたことを特徴とするＡＰＮ定義制御エンジン。
【請求項２】
前記複数の基幹ネットワーク要素は、少なくとも１つのゲートウェイＧＰＲＳサポートノード（ＧＧＳＮ）を備えたことを特徴とする請求項１に記載のＡＰＮ定義制御エンジン。
【請求項３】
少なくとも１つのパラメータを少なくとも１つのフィックストエンドシステムルータに、承認された運用者により関連付ける手段をさらに備えることを特徴とする請求項１に記載のＡＰＮ定義制御エンジン。
【請求項４】
少なくとも１つのパラメータを少なくとも１つのファイアウォールシステムに、承認された運用者により関連付ける手段をさらに備えることを特徴とする請求項１に記載のＡＰＮ定義制御エンジン。
【請求項５】
少なくとも１つのパラメータを少なくとも１つの仮想プライベートネットワーク（ＶＰＮ）トンネルに、承認された運用者により関連付ける手段をさらに備えることを特徴とする請求項１に記載のＡＰＮ定義制御エンジン。
【請求項６】
少なくとも１つのパラメータを少なくとも１つのゲートウェイサポートルータに、承認された運用者により関連付ける手段をさらに備えることを特徴とする請求項１に記載のＡＰＮ定義制御エンジン。
【請求項７】
前記複数のパラメータの内の１つは、前記ゲートウェイサポートルータが使用するＡＰＮであることを特徴とする請求項６に記載のＡＰＮ定義制御エンジン。
【請求項８】
前記基幹ネットワーク要素を配備するのに使用される少なくとも１つのパラメータの識別子をロギングする手段をさらに備えたことを特徴とする請求項１に記載のＡＰＮ定義制御エンジン。
【請求項９】
少なくとも１つのネットワーク要素から状態情報を受信する手段と、前記状態情報をロギングする手段とをさらに備えたことを特徴とする請求項１に記載のＡＰＮ定義制御エンジン。
【請求項１０】
承認された運用者のアクセス権を定義して、前記承認された運用者は前記承認された運用者に定義された行動のみを実行できるようにする手段をさらに備えたことを特徴とする請求項１に記載のＡＰＮ定義制御エンジン。
【請求項１１】
ユーザ識別子をロギングする前記手段および基幹ネットワーク要素の少なくとも１つの識別子をロギングする前記手段は、集中化されたデータベースログを使用する手段を備えることを特徴とする請求項１に記載のＡＰＮ定義制御エンジン。
【請求項１２】
少なくとも１つのパラメータを更新する手段をさらに備えることを特徴とする請求項１に記載のＡＰＮ定義制御エンジン。
【請求項１３】
アクセスポイント名（ＡＰＮ）によって特定されるデジタルネットワーク内の位置へ移動通信データを伝送可能にする方法であって、
移動通信データを前記ＡＰＮへ配信するために基幹ネットワーク要素により使用される複数のパラメータを、複数の前記基幹ネットワーク要素に、承認された運用者により関連付けるステップと、
前記承認された運用者の指示でコンピュータにより、前記パラメータを有する前記基幹ネットワーク要素を配備するステップと、
前記承認された運用者に対応するユーザ識別子をロギングするステップと、
前記複数の基幹ネットワーク要素からの基幹ネットワーク要素の少なくとも１つの識別子をロギングするステップと
を有することを特徴とする方法。
【請求項１４】
前記複数の基幹ネットワーク要素は、少なくとも１つのゲートウェイＧＰＲＳサポートノード（ＧＧＳＮ）を備えることを特徴とする請求項１３に記載の方法。
【請求項１５】
少なくとも１つのパラメータを少なくとも１つのフィックストエンドシステムルータに、承認された運用者により関連付けるステップをさらに備えることを特徴とする請求項１３に記載の方法。
【請求項１６】
少なくとも１つのパラメータを少なくとも１つのファイアウォールシステムに、承認された運用者により関連付けるステップをさらに備えることを特徴とする請求項１３に記載の方法。
【請求項１７】
少なくとも１つのパラメータを少なくとも１つの仮想プライベートネットワーク（ＶＰＮ）トンネルに、承認された運用者により関連付けるステップをさらに備えることを特徴とする請求項１３に記載の方法。
【請求項１８】
前記複数の基幹ネットワーク要素は、少なくとも１つのホームロケーションレジストリ（ＨＬＲ）を備えることを特徴とする請求項１３に記載の方法。
【請求項１９】
少なくとも１つのパラメータを少なくとも１つのゲートウェイサポートルータに、承認された運用者により関連付けるステップをさらに備えることを特徴とする請求項１３に記載の方法。
【請求項２０】
前記複数のパラメータの内の１つは、前記ゲートウェイサポートルータが使用するＡＰＮであることを特徴とする請求項１９に記載の方法。
【請求項２１】
前記基幹ネットワーク要素を配備するのに使用される少なくとも１つのパラメータの識別子をロギングするステップをさらに有することを特徴とする請求項１３に記載の方法。
【請求項２２】
少なくとも１つのネットワーク要素から状態情報を受信するステップと、前記状態情報をロギングするステップをさらに有することを特徴とする請求項１３に記載の方法。
【請求項２３】
承認された運用者のアクセス権を定義して、前記承認された運用者は前記承認された運用者に定義された行動のみを実行できるようにするステップをさらに有することを特徴とする請求項１３に記載の方法。
【請求項２４】
ユーザ識別子をロギングする前記ステップおよび基幹ネットワーク要素の少なくとも１つの識別子をロギングする前記ステップは、集中化されたデータベースログを使用して実行されることを特徴とする請求項１３に記載の方法。
【請求項２５】
少なくとも１つのパラメータを更新するステップをさらに有することを特徴とする請求項１３に記載の方法。
【請求項２６】
アクセスポイント名（ＡＰＮ）によって特定されるデジタルネットワーク内の位置へ移動通信データを伝送可能にする命令を有するコンピュータ読み取り可能な記録媒体であって、前記命令は、
移動通信データを前記ＡＰＮへ配信するために基幹ネットワーク要素により使用される複数のパラメータを、前記複数の基幹ネットワーク要素に、承認された運用者により関連付ける命令と、
前記承認された運用者の指示でコンピュータにより、前記パラメータを有する基幹ネットワーク要素を配備する命令と、
前記承認された運用者に対応するユーザ識別子をロギングする命令と、
前記複数の基幹ネットワーク要素からの基幹ネットワーク要素の少なくとも１つの識別子をロギングする命令と
を有することを特徴とするコンピュータ読み取り可能な記録媒体。
【請求項２７】
前記複数の基幹ネットワーク要素は、少なくとも１つのゲートウェイＧＰＲＳサポートノード（ＧＧＳＮ）を備えることを特徴とする請求項２６に記載のコンピュータ読み取り可能な記録媒体。
【請求項２８】
少なくとも１つのパラメータを少なくとも１つのフィックストエンドシステムルータに、承認された運用者により関連付ける命令をさらに備えることを特徴とする請求項２６に記載のコンピュータ読み取り可能な記録媒体。
【請求項２９】
少なくとも１つのパラメータを少なくとも１つのファイアウォールシステムに、承認された運用者により関連付ける命令をさらに備えることを特徴とする請求項２６に記載のコンピュータ読み取り可能な記録媒体。
【請求項３０】
少なくとも１つのパラメータを少なくとも１つの仮想プライベートネットワーク（ＶＰＮ）トンネルに、承認された運用者により関連付ける命令をさらに備えることを特徴とする請求項２６に記載のコンピュータ読み取り可能な記録媒体。
【請求項３１】
少なくとも１つのパラメータを少なくとも１つのゲートウェイサポートルータに、承認された運用者により関連付ける命令を備えることを特徴とする請求項２６に記載のコンピュータ読み取り可能な記録媒体。
【請求項３２】
前記複数のパラメータの内の１つは、前記ゲートウェイサポートルータが使用するＡＰＮであることを特徴とする請求項３１に記載のコンピュータ読み取り可能な記録媒体。
【請求項３３】
前記基幹ネットワーク要素を配備するのに使用される少なくとも１つのパラメータの識別子をロギングする命令をさらに有することを特徴とする請求項２６に記載のコンピュータ読み取り可能な記録媒体。
【請求項３４】
少なくとも１つのネットワーク要素から状態情報を受信する命令と、前記状態情報をロギングする命令とをさらに有することを特徴とする請求項２６に記載のコンピュータ読み取り可能な記録媒体。
【請求項３５】
承認された運用者のアクセス権を定義して、前記承認された運用者は前記承認された運用者に定義された行動のみを実行できるようにする命令をさらに有することを特徴とする請求項２６に記載のコンピュータ読み取り可能な記録媒体。
【請求項３６】
ユーザ識別子をロギングする前記命令および基幹ネットワーク要素の少なくとも１つの識別子をロギングする前記命令は、集中化されたデータベースログにロギングする命令を有することを特徴とする請求項２６に記載のコンピュータ読み取り可能な記録媒体。
【請求項３７】
少なくとも１つのパラメータを更新する命令をさらに有することを特徴とする請求項２６に記載のコンピュータ読み取り可能な記録媒体。